(57)【要約】      （修正有）【課題】台車に積み上げられた荷物の運搬中での荷崩れを防止し、操作ハンドルを回すとロックを開始して同時にベルトの締め付けが行える簡単なベルト荷締機を提供する。【解決手段】台車へ取り付けるための取付部３と、荷物に掛けられて荷崩れを防ぐベルト７と、ベルトを巻き取る方向へ付勢する巻取リールと、ベルトを緩める方向への動きを規制するラチェット機構と、ラチェット機構に接続されてベルトを巻き取るベルト締付部を備え、ベルト締付部を操作してベルトを締め付けると同時にベルトの回転制御部へのロックがおこなわれるように構成される。【選択図】図１
2020001821.tif 000002
【特許請求の範囲】
【請求項１】
台車に積まれた荷物の荷崩れを防止するベルト荷締機であって、台車へ取り付けるための取付部と、前記荷物に掛けられて荷崩れを防ぐベルトと、該ベルトを巻き取る方向へ付勢する巻取リールと、前記ベルトを緩める方向への動きを規制するラチェット機構と、前記ラチェット機構に接続されて前記ベルトを巻き取るベルト締付部を備え、前記ベルト締付部を操作して前記ベルトを締め付けると同時に前記ベルトのロックがおこなわれるように構成されることを特徴とするベルト荷締機。
【請求項２】
前記ベルト締付部が前記ベルト荷締機の筐体に固定される外円部と該外円部の中で回転する内円部とを備え、前記外円部は前記巻取リールから出た前記ベルトが通過する第１通過部と、前記第１通過部に対向する位置に前記ベルトの外部との通路となる第２通過部を有し、前記内円部がその中心を通る前記ベルトの通過するベルト通路を有し、前記ベルトが前記第１通過部、前記ベルト通路、前記第２通過部を経由して前記巻取リールと前記筐体の外部との間を往来することを特徴とする請求項１に記載のベルト荷締機。
【請求項３】
初期状態において、前記第１通過部、前記ベルト通路、前記第２通過部で構成される前記ベルトの通路がほぼ直線状になることを特徴とする請求項２に記載のベルト荷締機。
【請求項４】
前記内円部の外周付近の前記ベルト通路の端部が略直角、鋭角又は鋸歯状に成形されていることを特徴とする請求項２又は３に記載のベルト荷締機。
【請求項５】
前記ベルト締付部の前記ベルトを締め付ける操作に伴う前記内円部の回転の角度を初期状態から３６０度以下に抑える制止部が設けられるとともに前記回転に伴い巻かれる渦巻ばねが前記筐体と前記内円部の間に設けられることを特徴とする請求項３又は４に記載のベルト荷締機。
【請求項６】
前記内円部の外周に滑り止め部材が備えられていることを特徴とする請求項２乃至５何れかに記載のベルト荷締機。
【請求項７】
前記ラチェット機構が前記内円部と同軸に結合されるラチェット歯車とその歯車に向けて付勢される歯止めで構成され、その歯止めを前記ラチェット歯車から離して歯車が自由に回転できる状態にする解除機構を有することを特徴とする請求項２乃至６の何れかに記載のベルト荷締機。
【請求項８】
前記解除機構が解除状態を維持する解除保持部を有することを特徴とする請求項７に記載のベルト荷締機。
【請求項９】
前記取付部が前記台車の一端に備えられた第１固定部の下端へ当たる固定取付部と、前記第１固定部の上端へ当たる可動取付部と、該可動取付部を前記固定取付部へ向けて付勢する弾性体を備えることを特徴とする請求項1乃至８何れかに記載のベルト荷締機。
【請求項１０】
前記第１固定部が、前記台車の荷台に立設された手押しハンドルの背板又は前記台車の荷台に固定された荷台付加具であることを特徴とする請求項９に記載のベルト荷締機。
【請求項１１】
前記荷台付加具が前記台車の荷台を挟むことで固定されるように構成されるとともに前記ベルト荷締機を固定するＬ字部材を有することを特徴とする請求項１０に記載のベルト荷締機。
【請求項１２】
前記荷台付加具の前記台車の荷台への固定が前記Ｌ字部材の前記荷台の下へ挿入される延長部材と前記荷台の上へ降りる抑え部材により行われることを特徴とする請求項１１に記載のベルト荷締機。
【請求項１３】
前記抑え部材がＬ字部材に沿って移動し前記抑え部材に開けられた長穴を通してＬ字部材へねじ止めされることを特徴とする請求項１２に記載のベルト荷締機。
【請求項１４】
前記抑え部材がＬ字部材に沿って移動し前記延長部材との間を狭くするように付勢されることを特徴とする請求項１２に記載のベルト荷締機。
【発明の詳細な説明】
【技術分野】
【０００１】
本発明は、台車に載せた荷物の荷崩れを防止するベルト荷締機に関する。
【背景技術】
【０００２】
従来、台車へ乗せた荷物の荷崩れを防止する装置が種々提案されている。
【０００３】
たとえば、特許文献１に開示されている荷崩れ防止ベルトとして台車の上段の荷物の外周面に沿って簡単に巻装する荷崩れ防止用ベルトが開示されている。
【０００４】
特許文献２には荷物群の周囲に巻回されるベルト状又はシート状の帯部材と疎の端部を連結させ連結部材を備えた荷崩れ防止用締め具が開示されている。
【先行技術文献】
【特許文献】
【０００５】
【特許文献１】特開２００１−１２２３２２
【特許文献２】特開２００３−５４６２５
【発明の概要】
【発明が解決しようとする課題】
【０００６】
しかしながら、引用文献１及び２に開示された発明はともに荷物の周囲を巻回するもので荷物の周囲へ回り込む必要があるという問題点がある。また、荷物の周囲長が高さにより変化する場合は複数のベルトなどを用意する必要があった。
【０００７】
この発明の目的は、上述した事情に鑑みて台車に積み上げられた荷物の運搬中での荷崩れを防止する簡便なベルト荷締機を提供することである。
【０００８】
また、市販されている台車の上の荷物群の上に掛ベルトを掛けてベルトを締める荷崩れ防止装置は繰り出したベルトを荷崩れ防止装置へロックしてからベルトを締めるという２段階の操作が必要だった。そこで、この発明の別の目的は、ベルト荷締機の操作ハンドルを回すとロックを開始して同時にベルトの締付けが行えるベルト荷締機提を提供することである。
【課題を解決するための手段】
【０００９】
本発明のベルト荷締機は、台車に積まれた荷物の荷崩れを防止するベルト荷締機であって、台車へ取り付けるための取付部と、前記荷物に掛けられて荷崩れを防ぐベルトと、該ベルトを巻き取る方向へ付勢する巻取リールと、前記ベルトを緩める方向への動きを規制するラチェット機構と、前記ラチェット機構に接続されて前記ベルトを巻き取るベルト締付部を備え、前記ベルト締付部を操作して前記ベルトを締付けると同時にベルトのロックがおこなわれるように構成されることを特徴とする。
【００１０】
台車へベルト締付機を取り付けてベルトを台車の上の荷物へ掛け渡してベルトの端を台車の端へ金具などを用いて接続し、ベルト締付部を操作してベルトを締めつけて荷物の荷崩れを防止する。その際に、従来はベルトのロック操作の後でベルトの締付けを行っていたが本発明によれば締付動作により自動的にベルトのロックが行われる。
【００１１】
本発明のベルト荷締機は、ベルト締付部がベルト荷締機の筐体に固定される外円部と該外円部の中で回転する内円部とを備え、前記外円部は前記巻取リールから出た前記ベルトが通過する第1通過部と、前記第1通過部に対向する位置に前記ベルトの外部との通路となる第２通過部を有し、前記内円部がその中心を通る前記ベルトの通過するベルト通路を有し、前記ベルトが前記第１通過部、前記ベルト通路、前記第２ベルト通過部を経由して前記巻取リールと前記筐体の外部との間を往来することを特徴とする。
【００１２】
ベルト締付部がベルト荷締機の筐体に固定される外円部と該外円部の中で回転する内円部とを備え、前記外円部は前記巻取リールから出た前記ベルトが通過する第1通過部と、前記第１通過部に対向する位置に前記ベルトの外部との通路となる第２通過部を有し、前記内円部がその中心を通る前記ベルトの通過するベルト通路を有し、前記ベルトが前記第１通過部、前記ベルト通路、前記第２ベルト通過部を経由して前記巻取リールと前記筐体の外部との間を往来するので、内円部を回転することでベルトを巻き取る。
【００１３】
本発明のベルト荷締機は、初期状態において、第１通過部、ベルト通路、第２通過部で構成されるベルトの通路がほぼ直線状になることを特徴とする。
【００１４】
初期状態において、第１通過部、ベルト通路、第２通過部で構成されるベルトの通路がほぼ直線状になるのでベルトの通行が容易になる。
【００１５】
本発明のベルト荷締機は、内円部の外周付近のベルト通路の端部が略直角、鋭角又は鋸歯状に成形されていることを特徴とする。
【００１６】
内円部の外周付近のベルト通路の端部が略直角、鋭角又は鋸歯状に成形されているので内円部が回転してベルトがベルト通路の外で内円部の外周へ掛かるようになると通過部の端部と強く接触してベルト通過部の端部がベルトへ食い込むようになりベルトが内円に固定され、ロックされるようになる。
【００１７】
本発明のベルト荷締機は、ベルト締付部のベルトを締付ける操作に伴う内円部の回転の角度を初期状態から３６０度以下に抑える制止部が設けられるとともに前記回転に伴い巻かれる渦巻ばねが前記筐体と前記内円部の間に設けられることを特徴とする。
【００１８】
内円部の回転が３６０度以下に抑えられるので初期状態の設定が容易になりベルト荷締機の大きさの小型化が図れる。また、渦巻ばねが前記外円部と前記内円部の間に設けられるので内円部のラチェット機構が開放されると自動的に初期状態へ戻ろうとする。
【００１９】
本発明のベルト荷締機は、内円部の外周に滑り止め部材が備えられていることを特徴とする。
【００２０】
内円部の外周に滑り止め部材が備えられているので内円部が回転してベルトが内円部の外周へ掛かるようになると滑り止め部材によりベルトが内円部へほぼ固定される。
【００２１】
本発明のベルト荷締機は、ラチェット機構が内円部と同軸に結合されるラチェット歯車とその歯車に向けて付勢される歯止めで構成され、その歯止めを前記ラチェット歯車から離して歯車が自由に回転できる状態にする解除機構を有することを特徴とする。
【００２２】
内円部の回転方向を規制するためにラチェット歯車が前記内円部と同軸に結合される。そのラチェット歯車は歯止めがラチェット歯車へ喰い込むことで歯車の回転が規制される。そして、解除機構が歯止めを歯車から離して歯車の自由な回転を許し解除機構を操作することで荷物を締付けているベルトを容易に外すことができる。
【００２３】
また本発明のベルト荷締機は、解除機構が解除状態を維持する解除保持部を有することを特徴とする。
【００２４】
解除機構の解除状態を保持する解除保持部が有るので歯車へ向けて付勢されている解除機構を解除レバーから手を離したまま解除状態を維持することができる。
【００２５】
本発明のベルト荷締機は、取付部が前記台車の後部に有る中間帯材の下端へ当たる固定取付部と、前記中間帯材の上端から当たる可動取付部と、該可動取付部を前記固定取付部へ向けて付勢する弾性体を備えることを特徴とする。
【００２６】
取付部が前記台車の後部に有る中間帯材の下端へ当たる固定取付部と、前記中間帯材の上端から当たる可動取付部と、該可動取付部を前記固定取付部へ向けて付勢する弾性体を備えるので台車への取付が容易である。
【００２７】
本発明のベルト荷締機は、第１固定部が、台車の荷台に立設された手押しハンドルの背板又は台車の荷台に固定された荷台付加具であることを特徴とする。
【００２８】
ベルト荷締機は、台車の台１固定部すなわち、手押しハンドルの背板や適宜な幅を持った荷台付加具へ簡便に取り付けることができる。
【００２９】
本発明のベルト荷締機は、荷台付加具が前記台車の荷台を挟むことで固定されるように構成されるとともに前記ベルト荷締機を固定するＬ字部材を有することを特徴とする。
【００３０】
荷台付加具が台車の荷台を挟むことで固定されるように構成されるとともに前記ベルト荷締機を固定するＬ字部材を有するので、荷台付加具は背板を持つ手押しハンドルを有さない平台車へもベルト荷締機を取り付けることができる。
【００３１】
本発明のベルト荷締機は、荷台付加具の台車の荷台への固定がＬ字部材の荷台の下へ挿入される延長部材と荷台の上から降りる抑え部材により行われることを特徴とする。
【００３２】
荷台付加具の台車の荷台への固定がＬ字部材の荷台の下へ挿入される延長部材と荷台の上へ降りる抑え部材により行われるので様々な形態の荷台へ取り付けることができる。
【００３３】
本発明のベルト荷締機は、抑え部材がＬ字部材に沿って移動し長穴を介してＬ字部材へねじ止めされることを特徴とする。
【００３４】
抑え部材がＬ字部材に沿って移動し抑え部材に開けられた長穴を通してＬ字部材へねじ止めされるので、抑え部材を上下に移動して様々な厚みの荷台へ取り付けることができる。
【００３５】
本発明のベルト荷締機は、抑え部材がＬ字部材に沿って移動し前記延長部材との間を狭くするように付勢されることを特徴とする。
【００３６】
抑え部材がＬ字部材に沿って移動し前記延長部材との間を狭くするように付勢されることを特徴とするので、抑え部材を持ち上げて荷台の端へ取付、手を離すと様々な厚みの荷台へ取り付けることができる。
【図面の簡単な説明】
【００３７】
【図１】本発明のベルト荷締機を取付部側から見た斜視図である。
【図２Ａ】巻取リールからベルト締付部を通るベルトの経路を説明する断面図である。
【図２Ｂ】ベルト締付部を回転してベルトを締付ける際のベルトの経路を説明する断面図である。
【図３】回転した内円部とベルトの関係の説明図である。
【図４】ラチェット機構と自動戻り機構の説明図である。
【図５Ａ】初期状態の解除保持部の説明図である。
【図５Ｂ】ラチェット歯車の上を滑っている解除保持部の説明図である。
【図５Ｃ】ラチェット歯車の外側を滑っている解除保持部の説明図である。
【図６】本発明のベルト荷締機をラチェット解除レバー側から見た斜視図である。
【図７Ａ】本発明のベルト荷締機を背板を有する手押しハンドルを備える台車に固定する説明図である。
【図７Ｂ】本発明のベルト荷締機を平台車へ荷台付加具を用いて固定する説明図である。
【図８Ａ】荷台付加具をベルト荷締機を取り付ける側から見た説明図である。
【図８Ｂ】荷台付加具を荷台側から見た説明図である。
【図９】抑え板を下方へ付勢する仕組みの説明図である。
【図１０】荷台付加具へベルト荷締機を取り付ける様子を示す図である。
【発明を実施するための形態】
【００３８】
以下、本発明のベルト荷締機の実施形態を図面に基づいて説明する。図１は本発明に係るベルト荷締機１０の外観図である。図１の右手にあるベルト荷締機１０本体の取付部３，４は台車の後部のハンドルの中間部に有る中間帯材５１へベルト荷締機を取り付ける際に用いられる。使用に際しては取付部の可動取付部４を中間帯材５１の上端へ掛けてベルト荷締機を下へ押し下げ固定取付部３を中間帯材の下端へ掛けて固定する。可動取付部４はコイルバネ５などの弾性体により固定取付部３へ向けて付勢されているので荷締機１０は弾性体の弾性力により可動取付部４と固定取付部３で中間帯材を挟んで固定される。
【００３９】
荷締機１０を台車へ固定した後に台車に乗せられた荷物の上を覆うようにベルト７を引き伸ばしベルトの先端の取付具８を台車の前方の所定の位置へ固定する。ベルト７は後述するベルト荷締機に内蔵される渦巻バネによりベルトが緩まないように巻取方向へ付勢されているが荷崩れを防ぐほどには渦巻バネによる付勢力は大きくなく。
【００４０】
そこで、ベルトを締付けて荷崩れを防ぐためにベルトを締付けるにはベルトを締付ける器具へベルトを固定（ロック）する必要がある。従来はベルトを締付け器具へ固定してから、締付け器具を操作してベルトの締付けを行っていた。本発明に係るベルト荷締機１０は後述する仕組みによりベルトの締付けを開始する同時にベルト荷締機１０によるベルト荷締機１０へのベルトの固定が自動的に行われる。
【００４１】
ベルトの締付けは巻取ハンドル６を回すことで行う。所期の締付力になった段階で巻取ハンドル６から手を離しても、後述する内蔵されているラチェット機構によりベルトが戻って緩むことはない。
【００４２】
図２Ａは初期状態で巻いたベルトを保持している巻取リール１１とベルトを締付けるベルト締付部を構成する内円部１３と外円部１４を示す断面図である。巻取リール１１は内蔵される渦巻バネによりベルトを巻き取る方向へ付勢される。巻取リールから出たベルト７はベルト締付部を構成する外円部１４に形成される第１通過部１５を通り、内円部１３の中心を通るガイド溝として形成されるベルト通路１７を通り、外円部１４に形成される第２通過部１６を通ってベルト荷締機の外へ出る。図２Ａに示すように第１通過部１５と第２通過部１６は内円部に形成されるベルト通路１７を挟んで対向する位置に設けられるので初期状態ではベルトは巻取リールと外部との間のほぼ直線状の経路を経由して往来する。
【００４３】
巻取リール１１を出たベルト７がほぼ直線状の経路を通過して外部へ出るように経路が形成される初期状態では、ベルト７は巻取リール１１から外部へ巻取リールの渦巻バネによる巻き戻しの付勢を受けながらも大きな抵抗なく引き出すことができる。
【００４４】
図２Ｂを用いてベルト締付の説明を行う。ベルトを引き出して荷物に掛けてベルトの端を台車へ取り付けてからベルトを締めつけるときはベルト締付部の内円部１３を図の矢印に示す方向へ回してベルトの締付けを行う。ここで矢印に示す方向へ回す際にベルトが内円部へロックされていないと内円部は空回りすることになる。本発明においては内円部の外周付近のベルト通路の入り口と出口のベルトの当たる角の部分は略直角に成形（成形）されており内円部１３が回転するとベルトが折り曲がるのでこの角の部分でベルトは大きな摩擦力を受け、ベルト７が内円部１３へ固定（ロック）されて内円部１３の回転とともに台車の上の荷物に掛けられたベルト７が締付けられる。
【００４５】
図３は内円部とベルトの固定についてさらに工夫を凝らした場合の説明図である。ベルト通路の外円部に近いベルト通路１７の端部１８、１９はベルトが接する部分を鋭角にベルトに当たるように成形している。例えば鋸歯状に成形することでベルトがベルト通路の端部で折り曲げられて歯がベルトへ食い込むのでベルト７が内円部１３へ容易に固定される。つまり内円部が回転してベルトの締付が開始されると同時に締付部とベルトが固定（ロック）されることになる。
【００４６】
さらにベルトが接する内円部の外周へ滑り止め部材１３１を設けることでベルト７の内円部１３への固定が促進される。滑り止め部材としてゴム、ポリウレタン、シリコンなどのシートを貼りつけることが好適である。滑り止め部材として粘着剤を塗布しても良い。
【００４７】
図４を用いてラチェット機構の説明をする。内円部１３と同軸になったラチェット機構はラチェット歯車２０とこれを係止する歯止めとなる爪部２５を有する爪部本体２１とこれをラチェット歯車２０へ向けて付勢するＵ字型バネ２２を有する。爪部２５はラチェット機能を解除する爪部本体２１の部材と一体化されており、図４に示す爪部本体２１は左側の端部を回動可能に軸支されＵ字型バネ２２によりラチェット歯車２０へ向けて付勢されている。爪部本体２１の右側の端部はベルト締付機１０の筐体の外部へ突出する解除レバー１２に接続される。
【００４８】
内円部１３には内円部を初期状態へ戻すように付勢する筐体へ一端を固定された渦巻きバネ２７が内蔵されラチェット歯車２０の係止が開放されると渦巻きバネ２７により内円部は初期状態へ自動的に戻ろうとする。ここで内円部の溝へ突出したストッパー２６により内円部１３の回転の始点と終点が決められ内円部の回転角は３６０度以下に抑えられている。
【００４９】
ストッパー（制止部）２６を設けることでベルト７がスムースに通行できるようにベルトの通路をほぼ直線的に形成する内円部１３の初期位置を明確に定めることができる。また、内円部の回転を１回転以下に抑えることで締めつけて引き込んだベルトが巻き付いた内円部１３と外円部１４の間の隙間を厳密に決めることができ内円部１３及び外円部１４の周辺機構を小型にできる。
【００５０】
具体的には内円部１３の直径を３０ｍｍ〜５０ｍｍとすることが好適である。内円部１３の直径を３０ｍｍ〜５０ｍｍとする場合の最大引き締め量は９０ｍｍ〜１５０ｍｍであり試作機は４０ｍｍを用いたが引締め量としては十分なことを確認した。
【００５１】
解図５Ａ，図５Ｂ，図５Ｃを用いて解除機構を構成する解除レバーの解除状態を保持する解除保持部の説明をする。爪部本体２１に重なるように板バネによる保持部３２が爪部本体２１へ取り付けられる。図５Ａに示す初期状態では保持部３２の先端部３４は、ラチェット歯車２０の切り欠け部分へ入り込んでいて爪部２５はラチェット歯車２０を係止可能な状態である。
【００５２】
図５Ｂに示すようにベルト７を締付ける様に内円部１３を巻取りハンドル６により図５Ｂの矢印方向へ回転させると先端部３４はラチェット歯車の一部へ設けられた傾斜部３５へ乗り上げてラチェット歯車２０の上を滑る。この状態では爪部２５がラチェット歯車２０へ向けての付勢力ＦLによりラチェット歯車２０を係止することができるのでラチェット機構が機能する。
【００５３】
ここで図５Ｃに示す矢印方向へ解除レバー１２を外部から力ＦRで駆動すると先端部３４はラチェット歯車２０の規制から離れて板バネの保持部３２は爪本体部２１へ重なるように動きＵ字バネ２２による付勢力ＦLによりラチェット歯車の外周へ乗る状態になる。そうすると爪部２５はラチェット歯車２０へ触れない状態になりラチェット歯車は自由に回転可能になりラチェットの解除状態が保持される。
【００５４】
図６は初期状態の本発明に係るベルト締付機１０を後方から見た斜視図である。図６に見られる解除レバー１２を操作してラチェットの爪部本体２１をラチェット歯車から離す方向へ作動させる。解除レバー１２に接続される爪部本体２１はＵ字型バネ２２によりラチェット歯車方向へ付勢されているので解除レバー１２から手を離すとラチェット歯車が再度係止されるが保持部３２により解除状態が維持される。
【００５５】
ベルト荷締機１０は取付部４，３により簡便に台車へ取り付けることができ、台車の荷物へベルトを掛けた後に巻取ハンドル６を回転させてベルトの締付けを行う。ベルト７を外す際は、ベルト７の先端部の取付具８を台車から外して解除レバー１２を操作することでベルト７及び巻取ハンドル６が元へ戻る。
【００５６】
図７は本発明に係るベルト荷締機を台車の上の荷物に適用した場合である。ベルト荷締機１０を台車の一端の第1固定部へ取り付ける。図７Ａはベルト荷締機１０が第1固定部となる台車の手押しハンドル５０の背板５１へ取り付けられる様子を示す。ベルト荷締機から出たベルト７を伸ばして先端の取付具８を台車の所定の場所へ掛ける。巻取ハンドル６を回転させることで簡便にベルトの締付けができて台車での荷物の運搬中に荷物の荷崩れを防止することができる。
【００５７】
図７Ｂは手押しハンドルを有しない平台車への適用例として第１固定部となる後述する荷台付加具１００へベルト荷締機１０を取付けて荷崩れを防止する様子をしめす。ベルト荷締機１０荷台付加具１００から出たベルト７を伸ばして先端の取付具８を台車の所定の場所へ掛ける。巻取ハンドル６を回転させることで簡便にベルトの締付けができて台車での荷物の運搬中に荷物の荷崩れを防止することができる。
【００５８】
図８Ａは荷台付加具１００をベルト荷締機１０が取り付けられる側から見た図である。Ｌ字部材１０２の上端は折り曲げられてベルト荷締機１０の可動取付部４を取り付ける上端固定部１０２２となっている。また、Ｌ字部材１０２の下端部にはベルト荷締機１０の固定取付部３を取り付ける下端固定部となる棒材１０４が設けられる。Ｌ字部材１０２の下方に開けられた四角穴は抑え部材１０１の上下の動きを制限している。
【００５９】
Ｌ字部材１０２の中間部にはネジ穴が用意され固定ネジ１０３が挿入される。Ｌ字部材の下端は荷台側へ向けて二本の延長部材が設けられ延長部材は荷台の下へ挿入されて抑え部材１０１の抑え板１０１１とともに荷台を上下に挟む。
【００６０】
図８Ｂは荷台付加具１００を台車の荷台側から見た図である。荷台を上から挟む抑え部材１０１の左右の中央部には上下に長穴１０１２が設けられて固定ネジ１０３が挿入される。固定ネジはＬ字部材１０２のネジ穴１０５で固定される。固定ネジ１０３の操作部は手で回しやすい大きさに作られ固定ネジ１０３を十分なトルクでＬ字部材１０２のネジ穴１０５へ締め付けることができる。
【００６１】
図９に抑え板１０１１を延長部材１０２１へ向けて付勢する別の実施例を示す。弾性体１０７をＬ字部材１０２から荷台側へ突き出したバネ抑え板１０６と抑え部材１０１の抑え板１０１１間へ挿入してＬ字部材の延長部材１０２１と抑え部材の抑え板１０１１の間隔を狭くするように付勢する。弾性体は圧縮コイルバネが好適であるが他の物でもよい。また、抑え板１０１１と延長部材２０２１の間隔を狭くするように付勢するために引っ張りバネを抑え板１０１１と延長部材１０２１の間へ挿入しても良い。その場合は抑え板１０１１と延長部材１０２１にそれぞれ引っ張りバネを装着する部材を用意する。
【００６２】
図９に荷台付加具を使ってベルト締付機１０を荷台６０へ固定する様子を示す。荷台６０は荷台６０の下へ挿入されたＬ字部材１０２の延長部材２０２１と抑え部材１０１の抑え板１０１１で挟まれ荷台付加具１００が固定された状態で固定ネジ１０３を締めて荷台付加具１００を荷台６０へ確実に固定する。固定された荷台付加具１００の上部受け部１０２２へベルト荷締機１０の可動取付部４を掛けてベルト荷締機１０を下へ降ろし、棒材１０４へベルト荷締機１０の固定取付部３を取り付ける。
【００６３】
ベルト７を外す際は、ベルト７の先端部の取付具８を台車から外して解除レバー１２を操作することでベルト７及び巻取ハンドル６が自動的に元へ戻る。
【００６４】
上記に説明した実施例は本願発明の一部であって本願発明の技術思想を含む実施の態様は本願発明の技術思想に含まれる。
【符号の説明】
【００６５】
１  筐体カバーＡ
２  筐体カバーＢ
３  固定取付部
４  可動取付部
５  弾性体（コイルバネ）
６  巻取ハンドル
７  ベルト
８  取付具
１０  ベルト荷締機
１１  巻取リール
１２  解除レバー
１３  内円部
１４  外円部
１５  第１通過部
１６  第２通過部
１７  ベルト通路
１８、１９  鋸歯状端部
２０  ラチェット歯車
２１  爪部本体
２２  Ｕ字型バネ
２５  爪部
２６  ストッパー（制止部）
２７  巻きバネ
３２  解除保持部
３４  先端部
３５  傾斜部
５０  手押しハンドル
５１  背板
６０  荷台
１００  荷台付加具
１０１  抑え部材
１０５  ネジ穴
１０６  バネ抑え
１０７  バネ
１０１１  抑え板
１０１２  長穴
１０２  Ｌ字部材
１０２１  延長部材
１０２２  上端固定部
１０３  固定ネジ
１０４  下端固定部
【図１】
2020001821.tif 000003
【図２Ａ】
2020001821.tif 000004
【図２Ｂ】
2020001821.tif 000005
【図３】
2020001821.tif 000006
【図４】
2020001821.tif 000007
【図５Ａ】
2020001821.tif 000008
【図５Ｂ】
2020001821.tif 000009
【図５Ｃ】
2020001821.tif 000010
【図６】
2020001821.tif 000011
【図７Ａ】
2020001821.tif 000012
【図７Ｂ】
2020001821.tif 000013
【図８Ａ】
2020001821.tif 000014
【図８Ｂ】
2020001821.tif 000015
【図９】
2020001821.tif 000016
【図１０】
2020001821.tif 000017